(57)【要約】【課題】対象物までの距離が変化しても、使用者が視度調整を行わなくても良い情報表示装置を提供することを目的とする。また、使用者が、外界の対象物のみの観察を選択できる情報表示装置を提供する。【解決手段】情報を表示する表示素子６と、表示素子６に対向配置された接眼光学系7と、距離の異なる所定の観察対象物同士の間の範囲内を接眼光学系７の結像位置が往復して変化するように、表示素子６と接眼光学系7とを、常時、所定の周期で相対移動させる駆動機構９を有し、駆動機構９が１０Ｈｚ以上の駆動周波数で駆動するようにしている。【選択図】  図５
2006153967.tif 000002
【特許請求の範囲】
【請求項１】
情報を表示する表示素子と、
前記表示素子に対向配置された接眼光学系と、
常時、所定の周期及び所定の範囲で、前記接眼光学系の少なくとも一部と前記表示素子とを相対移動させる駆動機構を有することを特徴とする情報表示装置。
【請求項２】
前記表示素子、前記接眼光学系及び前記駆動機構は、観察者の視線から外れた位置に配置され、
前記接眼光学系を通過した前記表示素子からの光線を折り曲げて観察者の眼に導くと共に、外界の対象物からの光線を透過観察することのできる光学素子を有することを特徴とする請求項１に記載の情報表示装置。
【請求項３】
前記相対移動が、前記表示素子と前記接眼光学系のいずれか一方の他方に対する直線移動であることを特徴とする請求項１又は請求項２に記載の情報表示装置。
【請求項４】
前記相対移動が、前記表示素子と前記接眼光学系のいずれか一方の他方に対する回転移動であることを特徴とする請求項１又は請求項２に記載の情報表示装置。
【請求項５】
前記駆動機構が、第１の駆動ユニットと第２の駆動ユニットを備え、前記第１の駆動ユニットの相対移動量が、前記第２の駆動ユニットの相対移動量よりも大きくなるようにしたことを特徴とする請求項１乃至請求項４のいずれか１項に記載の情報表示装置。
【請求項６】
情報を表示する表示素子と、
前記表示素子に対向配置された接眼光学系と、
常時、所定の周期及び所定の範囲で、前記接眼光学系の少なくとも一部と前記表示素子とを相対移動させる駆動機構と、
撮像装置と、
演算装置とを有し、
前記演算装置が、前記撮像装置からの情報に基づいて距離情報を得る工程と、前記距離情報に基づいて前記駆動機構を駆動させる工程とを備えることを特徴とする情報表示装置。
【請求項７】
前記表示素子、前記接眼光学系及び前記駆動機構は、観察者の視線から外れた位置に配置され、
撮像装置と、
演算装置と、
前記接眼光学系を通過した前記表示素子からの光線を折り曲げて観察者の眼に導くと共に、外界の対象物からの光線を透過観察することのできる光学素子とを有し、
前記演算装置が、前記撮像装置からの情報に基づいて距離情報を得る工程と、前記距離情報に基づいて前記駆動機構を駆動させる工程とを備えることを特徴とする請求項６に記載の情報表示装置。
【請求項８】
前記所定の周期が１０Ｈｚ以上であることを特徴とする請求項１乃至請求項７のいずれか１項に記載の情報表示装置。
【発明の詳細な説明】
【技術分野】
【０００１】
本発明は、情報表示装置に関するものであって、特に、視度調整を備えた眼鏡型の情報表示装置に関するものである。
【背景技術】
【０００２】
画像表示素子に表示した映像を、接眼光学系を介して観察する情報表示装置が提案されている。特に、眼鏡型の情報表示装置では、通常の眼鏡の使用形態と同様に、頭部に装着する構成となっている。よって、使用者は、安定した状態で、映像を見ることができる。このような、眼鏡型の画像表示装置が、例えば、特許文献１に提案されている。
【特許文献１】特開平９−２１１３７４号公報
【０００３】
図９は、特許文献１に開示された画像表示装置の概略構成図である。特許文献１に開示された画像表示装置は、シースルー機能を有した装置である。この画像表示装置では、画像表示素子により表示された情報（映像情報や文字情報）と外界の様子を、同時に観察することができるようになっている。そして、この画像表示装置では、第１の変位機構７１及び第２の変位機構７２が設けられている。これらの変位機構により、接眼レンズ５３及び対物レンズ５４を光軸方向に移動させている。これにより、視度調整が行われている。
【発明の開示】
【発明が解決しようとする課題】
【０００４】
しかし、特許文献１に開示された画像表示装置では、使用者が観察する対象物が、観察者の近傍に存在したり、遠方に存在する場合には、使用者は、対象物の位置に応じて、近傍に焦点を合わせたり、遠方に焦点を合わせたりする。このとき、画像表示素子に表示された情報も、同時に、使用者が認識できる必要がある。そこで、特許文献１に開示された画像表示装置では、第１の変位機構７１及び第２の変位機構７２を使って、視度調整を行う。
【０００５】
このように、従来の画像表示装置では、対象物までの距離が変化するたびに、視度調整が必要となるという問題があった。また、従来の画像表示装置では、画像表示素子に表示された映像を、使用者は、常時、観察することになり、外界の対象物のみを観察をすることができないという問題があった。
【０００６】
本発明は、上記に鑑みてなされたものであって、対象物までの距離が変化しても、使用者が視度調整を行わなくても良い情報表示装置を提供することを目的とする。また、使用者が、外界の対象物のみの観察を選択できる情報表示装置を提供することを目的とする。
【課題を解決するための手段】
【０００７】
上記目的を達成するため、本発明による情報表示装置は、情報を表示する表示素子と、前記表示素子に対向配置された接眼光学系と、常時、所定の周期及び所定の範囲で、前記接眼光学系の少なくとも一部と前記表示素子とを相対移動させる駆動機構を有することを特徴とする。
また、本発明による情報表示装置は、前記表示素子、前記接眼光学系及び前記駆動機構が、観察者の視線から外れた位置に配置され、前記接眼光学系を通過した前記表示素子からの光線を折り曲げて観察者の眼に導くと共に、外界の対象物からの光線を透過観察することのできる光学素子を有するようにするのが好ましい。
また、上記情報表示装置において、前記相対移動が、前記表示素子と前記接眼光学系のいずれか一方の他方に対する直線移動であるのが好ましい。
また、上記情報表示装置において、前記相対移動が、前記表示素子と前記接眼光学系のいずれか一方の他方に対する回転移動であるのが好ましい。
また、上記情報表示装置において、前記駆動機構が、第１の駆動ユニットと第２の駆動ユニットを備え、前記第１の駆動ユニットの相対移動量が、前記第２の駆動ユニットの相対移動量よりも大きくなるようにするのが好ましい。
また、本発明の別の情報表示装置は、情報を表示する表示素子と、前記表示素子に対向配置された接眼光学系と、常時、所定の周期及び所定の範囲で、前記接眼光学系の少なくとも一部と前記表示素子とを相対移動させる駆動機構と、撮像装置と、演算装置とを有し、前記演算装置が、前記撮像装置からの情報に基づいて距離情報を得る工程と、前記距離情報に基づいて前記駆動機構を駆動させる工程とを備えるようにしたことを特徴とする。
また、本発明の別の情報表示装置は、前記表示素子、前記接眼光学系及び前記駆動機構が、観察者の視線から外れた位置に配置され撮像装置と、演算装置と、前記接眼光学系を通過した前記表示素子からの光線を折り曲げて観察者の眼に導くと共に、外界の対象物からの光線を透過観察することのできる光学素子とを有し、前記演算装置が、前記撮像装置からの情報に基づいて距離情報を得る工程と、前記距離情報に基づいて前記駆動機構を駆動させる工程とを備えるようにするのが好ましい。
また、本発明の情報表示装置は、前記所定の周期が１０Ｈｚ以上であることが好ましい。
【発明の効果】
【０００８】
本発明によれば、観察する対象物までの距離が変化しても、使用者が視度調整を行わなくても良い情報表示装置を提供することができる。また、使用者が、外界の対象物のみの観察を選択できる情報表示装置を提供することができる。
【発明を実施するための最良の形態】
【０００９】
実施例の説明に先立ち、本発明の作用効果について説明する。
図１は、一実施形態にかかる情報表示装置における概略構成図を示している。図１に示す情報表示装置１は、眼鏡と同じように使用する形態の装置である。
【００１０】
すなわち、情報表示装置１は、サイドフレーム２と、フロントフレーム３と、光透過部材４と、視度調整ユニット５及び５’とを備えている。サイドフレーム２とフロントフレーム３は、一体に形成されている。ただし、別体でも良い。光透過部材４は、フロントフレーム３に設けられている。光透過部材４の位置は、使用者が情報表示装置１を装着した時に、使用者の眼球と対向する位置である。
【００１１】
ここで、サイドフレーム２は、フロントフレーム３を挟むように、対向して設けられている。そして、サイドフレーム２の一端は、円弧状に湾曲している。よって、サイドフレーム２は、使用者の側頭部を両側から挟む状態になる。更に、サイドフレーム２の湾曲部が、耳の付け根に当接する。これにより、情報表示装置１を、使用者の頭部に固定させることができる。
【００１２】
また、サイドフレーム２の内側には、視度調整ユニット５と５’とが設けられている。図１では、視度調整ユニット５と５’は、サイドフレーム２からフロントフレーム３に沿って設けられている。
【００１３】
図２は、視度調整ユニット５の概略構成図である。視度調整ユニット５は、表示素子６と、接眼光学系７と、駆動機構９と、プリズム８とから構成されている。ここで、表示素子６、接眼光学系７及び駆動機構９は、観察者の視線から外れた位置に配置されている。また、プリズム８は、観察者の視線上と表示素子６との光軸上の位置に配置されている。
【００１４】
表示素子６は、複数の微小表示部から構成されている。よって、表示素子６は、映像情報や文字情報を表示できる。なお、以下では、表示素子６に表示された映像情報や文字情報を、単に映像情報や文字情報とする。
【００１５】
接眼光学系７は、複数のレンズから構成されている。接眼光学系７は、映像情報や文字情報を、所定の位置に投影する。
【００１６】
プリズム８は、接眼光学系７を通過した表示素子６からの光線を折り曲げて観察者の眼に導くと共に、複数の反射面を備えている。また、プリズム８はは、外界の対象物からの光線を透過観察することのできる面を有している。
【００１７】
そして、プリズム８は、接眼光学系７から入射した光を、使用者の眼に向かって射出させる。図２では、面８ａの一端部から光が入射する。入射した光は、面８ｂによって、面８ａに向かって反射される。次に、面８ｂから面８ａに入射した光は、面８ａで反射する。続いて、面８ａで反射した光は、面８ｃで反射される。そして、面８ｃで反射された光は、面８ａの他端部から射出する。
【００１８】
また、面８ｃとしては、ハーフミラーが用いられる。なお、可能であれば、面８ｃを、全反射面とするのが好ましい。面８ｃを全反射面とすれば、外界からの光と表示素子６からの光を、ほとんど損失することなく、使用者の眼球に到達させることができる。
【００１９】
以上のような構成により、映像情報や文字情報を、使用者の眼まで伝送させることができる。よって、使用者は、これらの映像情報や文字情報を、認識することができる。また、外界の対象物からの光は、面８ｃを介して、使用者の眼に到達するので、使用者は、外界の対象物も観察することができる。
【００２０】
駆動機構９は、所定の周波数及び所定の範囲で、表示素子６と接眼光学系7とを、常時、相対移動させるように構成されている。表示素子６と接眼光学系7との相対移動は、接眼光学系７の結像位置が、往復して変化する移動である。また、所定の周波数は、１０Ｈｚ以上の駆動周波数ある。なお、表示素子６と接眼光学系7を相対移動させる範囲は、距離の異なる所定の観察対象物同士の間の範囲である。駆動機構９は、接眼光学系７を保持する保持部材（不図示）に設けられている。そして、接眼光学系７を光軸方向に沿って移動させる。これにより、映像情報や文字情報の投影位置を、変化させることができる。
【００２１】
例えば、図３（ａ）に示すように、使用者が、遠方の対象物Ａを観察しているとする。この場合、駆動機構９は、映像情報や文字情報が、対象物Ａの位置に投影されるように、接眼光学系７を所定の位置Ｐ１に移動させる。一方、図３（ｂ）に示すように、使用者が、近傍の対象物Ｂを観察しているとする。この場合、駆動機構９は、映像情報や文字情報が、対象物Ｂの位置に投影されるように、接眼光学系７を所定の位置Ｐ２に移動させる。このような構成とすることで、使用者は、距離の異なる対象物を観察しても、映像情報や文字情報を鮮明に認識することができる。
【００２２】
なお、本実施形態では、表示素子６を固定し、接眼光学系７を移動させることによって、接眼光学系７と表示素子６の相対間隔を変化させている。逆に、接眼光学系７を固定し、表示素子６を移動させてもよい。また、接眼光学系７と表示素子６の両方を移動させても良い。
【００２３】
本実施形態によれば、距離の異なる所定の観察対象物同士の間の範囲内を接眼光学系７の結像位置が往復して変化するように、駆動機構９によって接眼光学系７と表示素子６との相対間隔を、常時、１０Ｈｚ以上の駆動周波数で相対移動するようにした。そのため、使用者は、観察対象物同士の間の範囲内であれば、どの対象物に注視点を移したとしても、常に、違和感無く映像情報や文字情報がその注視点で結像した状態を認識しながら対象物を観察することができる。その結果、観察する対象物までの距離が変化しても、使用者は視度調整を行わなくても良くなる。
【実施例１】
【００２４】
以下、本発明の実施例について、図面を用いて説明する。
図４は、実施例１の情報表示装置を示す図であって、情報表示装置を使用者が装着した状態を、使用者の頭頂部から見たときの図である。
【００２５】
情報表示装置１０は、サイドフレーム１１、１１’、フロントフレーム１２、視度調整ユニット１３、１３’を備えている。サイドフレーム１１、１１’とフロントフレーム１２は、一体に形成されている。ただし、別体でも良い。また、視度調整ユニット１３、１３’の一部は、フロントフレーム１２の内部に嵌め込まれている。
【００２６】
サイドフレーム１１の一端は、フロントフレーム１２につながっている。同様に、サイドフレーム１１’の一端も、フロントフレーム１２につながっている。このように、サイドフレーム１１とサイドフレーム１１’は、フロントフレーム１２を挟んで、対向して設けられている。よって、サイドフレーム１１は、使用者の左側頭部に当接する。一方、サイドフレーム１１’は、使用者の右側頭部に当接する。よって、サイドフレーム１１と１１’は、使用者の側頭部を両側から挟む状態になる。
【００２７】
また、サイドフレーム１１及びサイドフレーム１１’の他端は、図１と同様に、円弧状に湾曲している。よって、サイドフレーム１１の湾曲部は、使用者の左耳の付け根に当接する。一方、サイドフレーム１１’の湾曲部は、使用者の右耳の付け根に当接する。
以上のような構成により、情報表示装置１を、使用者の頭部に固定させることができる。
【００２８】
また、サイドフレーム１１の内側には、視度調整ユニット１３が設けられている。同様に、サイドフレーム１１’の内側には、視度調整ユニット１３’が設けられている。そして、視度調整ユニット１３、１３’は、サイドフレーム１１、１１’からフロントフレーム１２に沿って設けられている。
【００２９】
図５は、実施例１の情報表示装置を示す説明図である。ここで、情報表示装置に備えられる視度調整ユニット１３と１３’は、同じ構成となっている。よって、図５（ａ）では、視度調整ユニット１３を備えた情報表示装置の概略構成図を示す。また、図５（ｂ）は、視度調整ユニット１３を備えた情報表示装置の概略配置図を示す。
【００３０】
視度調整ユニット１３は、表示素子１４と、光学系１５と、プリズム１６と、駆動機構１７とから構成されている。ここで、表示素子１４は、複数の微小表示部から構成されている。よって、表示素子１４は、映像情報や文字情報を表示できる。本実施例１では、表示素子１４はＬＣＤである。
【００３１】
接眼光学系１５は、表示素子１４と対向する位置に配置されている。本実施例１では、接眼光学系１５は、４つのレンズから構成されている。すなわち、表示素子１４側から順に、正レンズＬ１、正レンズＬ２、負レンズＬ３、正レンズＬ４の順番で、４つのレンズが配置されている。また、４つのレンズのうち、レンズＬ２とレンズＬ３が、駆動機構１７上に配置されている。このレンズＬ２とレンズＬ３は、光軸に沿って移動する。
【００３２】
接眼光学系１５は、表示素子１４に表示された映像情報や文字情報を、所定の位置に投影する。本実施例１の場合、後述するプリズム１６の内部に、一度、中間像を形成する。この中間像が、所定の位置に投影される。
【００３３】
プリズム１６は、接眼光学系１５を挟んで、表示素子１４と対向する位置に設けられている。プリズム１６は、図５（ｂ）に示すように、フロントフレーム１２の内部に嵌め込まれている。プリズム１６は、面１６ａと、面１６ｂと、面１６ｃと、面１６ｄとを有する。面１６ａの一端部は、接眼光学系１５に対向している。また、面１６ａの他端部は、使用者の眼Ｅに対向している。接眼光学系１５からの光は、面１６ａの一端部を透過して、プリズム１６内に入射する。そして、この光は、最終的に面１６ａの他端部を透過して、プリズム１６から出射する。
【００３４】
上述のように、接眼光学系１５からの光は、面１６ａの一端部を透過して、プリズム１６内に入射する。入射した光は、面１６ｂで、面１６ａに向かって反射される。面１６ｂで反射された光は、面１６ａで、面１６ｃに向かって反射される。この後、面１６ａで反射された光は、１６ｃに向けて反射される。そして、面１６ｃと面１６ａとの間で、光の反射が繰り返えされる。本実施例１では、面１６ａで３回の反射が行われ、面１６ｃで２回の反射が行われる。そして、繰り返して反射された光は、面１６ｄに到達する。
【００３５】
面１６ｄに到達した光は、面１６ｄで、面１６ａの他端部に向かって反射される。反射された光は、面１６ａの他端部を透過して、プリズム１６から出射する。プリズム１６から射出した光は、使用者の眼Ｅに到達する。
【００３６】
以上のような構成により、映像情報や文字情報を、使用者の眼Ｅまで伝送させることができる。よって、使用者は、これらの映像情報や文字情報を、認識することができる。
【００３７】
なお、面１６ｄには、半透過膜が施されている。すなわち、面１６ｄは、ハーフミラーとして機能する。そのため、外界の対象物からの光は、面１６ｄを介して、使用者の眼Ｅに到達する。したがって、使用者は、外界の対象物も観察することができる。その結果、使用者は、観察対象物と映像情報や文字情報を、同時に認識することができる。
【００３８】
前述のように、駆動機構１７は、距離の異なる所定の観察対象物同士の間の範囲内を、接眼光学系７の結像位置が往復して変化するように、表示素子１４とレンズＬ２及びレンズＬ３とを、常時、１０Ｈｚ以上の駆動周波数で駆動して、相対移動させるように構成されている。
【００３９】
駆動機構１７は、レンズＬ２とレンズＬ３を、光軸に沿って移動させる。なお、レンズＬ２とレンズＬ３は、保持部材（不図示）で保持されていて、この保持部材が、駆動機構１７に連結されている。
【００４０】
なお、本実施例１では、レンズＬ２とレンズＬ３を移動させているが、移動させるレンズは、レンズＬ２とレンズＬ３に限られない。他のレンズを移動させても良いし、全てのレンズを移動させても良い。また、移動させる方向や移動量が、各レンズごとに異なっても良い。これらは、接眼光学系のタイプ（屈折力配置）によって決まる。
【００４１】
上記構成により、図３に示すように、映像情報や文字情報の投影位置を、変化させることができる。ここで、本実施例１では、レンズＬ２とレンズＬ３は、所定の周期で往復移動させている。よって、映像情報や文字情報は、対象物Ａから対象物Ｂまでの間に、連続的に投影されることになる。その際、投影位置は、時間の経過と共に変化する。
【００４２】
例えば、１秒の周期で、レンズＬ２とレンズＬ３が、往復移動する場合には、対象物Ａの位置は、映像情報や文字情報が１秒ごとに投影される。したがって、使用者が対象物Ａを注視した場合、使用者は、１秒ごとに、映像情報や文字情報を認識することになる。
【００４３】
また、使用者が、注視対象を対象物Ａから対象物Ｂに変えたとする。この場合も、対象者は、１秒ごとに、映像情報や文字情報を認識することになる。更に、対象物Ａから対象物Ｂまでの間であれば、どの位置でも、注視した瞬間から、１秒ごとに、映像情報や文字情報を認識することができる。
【００４４】
ここで、例示した周期１秒では、使用者は、映像情報や文字情報を、間欠的に認識してしまう可能性がある。この場合、往復移動の周期を、更に短くすれば使用者は、違和感無く映像情報や文字情報を連続的に認識することができる。
【００４５】
よって、本実施例１では、所定の周期、すなわち駆動機構１７の駆動周波数は、１０Ｈｚ以上にしている。なお、本実施例１では、往復移動を可能にするために、駆動機構１７の駆動素子として圧電素子を用いている。ただし、圧電素子自体の変位量は、非常に小さい。そこで、駆動機構１７は、圧電素子の変位量を拡大する機構を備えている。
【００４６】
本実施例１では、表示素子１４を固定し、接眼光学系１５を移動させている。逆に、接眼光学系１５を固定し、表示素子１４を移動させてもよい。また、接眼光学系１５と表示素子１４の両方を移動させても良い。いずれの場合も、本実施例では、接眼光学系１５と表示素子１４の相対移動は、直線移動となる。
【００４７】
本実施例１によれば、距離の異なる所定の観察対象物同士の間の範囲内を、接眼光学系１５の結像位置が往復して変化するように、駆動機構１７によって接眼光学系１５と表示素子１４との相対間隔を、常時、１０Ｈｚ以上の駆動周波数で相対移動するようにした。そのため、使用者は、観察対象物同士の間の範囲内であれば、どの対象物に注視点を移したとしても、常に、違和感無く映像情報や文字情報がその注視点で結像した状態を認識しながら対象物を観察することができる。その結果、観察する対象物までの距離が変化しても、使用者は視度調整を行わなくても良くなる。
【実施例２】
【００４８】
図６は、実施例２の情報表示装置を示す説明図であって、視度調整ユニット１３を備えた情報表示装置の概略構成図である。
実施例１と同じ構成要素については同じ番号を付し、説明は省略する。実施例２の情報表示装置１８では、駆動機構１７’に加えて、別の駆動機構１９を有している。また、駆動機構１７’と駆動機構１９を制御するために、制御ユニット２０を有している。この制御ユニット２０は、情報表示装置１８とは別体である。
【００４９】
実施例２においても、レンズＬ２とレンズＬ３を、光軸に沿って移動させる。ただし、その移動量は、実施例１での移動量よりも少なくしている。すなわち、図７に示すように、レンズＬ２とレンズＬ３の移動範囲は、Ｐ１の位置からＰ３の位置までの範囲である。よって、表示素子１４に表示された映像情報や文字情報の投影像は、対象物Ａから対象物Ｃまでの注視範囲Ｘ内で往復して変化していることになる。
【００５０】
但し、レンズＬ２とレンズＬ３の移動範囲がＰ１の位置からＰ３の位置までの範囲の場合は、表示素子１４に表示された映像情報や文字情報の投影できる範囲が対象物Ａから対象物Ｃまでの注視範囲Ｘとなる。そのため、使用者が対象物Ａから対象物Ｃまでの注視範囲Ｘの外に位置する対象物Ｂを注視した場合には、対象物Ｂの位置における映像情報や文字情報は投影されない。
【００５１】
そこで、本実施例２では、駆動機構１９によって、接眼光学系１５全体を、光軸に沿って移動させることにより、注視範囲Ｘを、対象物Ａから対象物Ｂまで移動させることができるようにしている。その結果、対象物Ａから対象物Ｂまでの間で、映像情報や文字情報を投影することができる。
【００５２】
また、駆動機構１７’は、注視範囲Ｘ内で結像位置が、往復して変化するように、常時、所定の周期で変化させるものである。そして、更に注視したい対象物が注視範囲Ｘの範囲外に位置する場合は、駆動機構１９によって、投影範囲を移動させる構成となっている。このため、駆動機構１７’の相対移動量は、駆動機構１９の相対移動量よりも大きくなっている。また、駆動機構１９の駆動速度は、駆動機構１７’の駆動速度よりも遅くてよい。
【００５３】
よって、駆動源としては、例えば、小型モータを使用すればよい。図６では、駆動機構１９は、スライドテーブル１９ａと、リンク機構１９ｂと、小型モータ１９ｃとで構成されている。小型モータ１９ｃの回転運動は、リンク機構１９ｂによって、スライドテーブル１９ａに伝達される。ここで、スライドテーブル１９ａは、光軸に沿って移動可能となっている。また接眼光学系１５は、スライドテーブル１９ａ上に載置されている。よって、接眼光学系１５は、光軸に沿って移動することになる。
【００５４】
本実施例２では、制御ユニット２０を設けて、投影範囲Ｘの位置を、使用者が調整するようにしている。この制御ユニット２０には、スライドつまみ２１が設けられており、使用者は、このスライドつまみ２１を移動させることによって、投影範囲Ｘの位置を調整する。なお、制御ユニット２０の制御信号は、公知の送信方法（無線、ケーブル）によって、情報表示装置１８の駆動機構１７’に送信すればよい。
【００５５】
使用に際しては、使用者は、まず、遠点の対象物から近傍の対象物までを注視する。この場合には、遠点の対象物から近傍の対象物までの間の映像情報や文字情報を認識することができる。そして、対象物（本当に注視したい対象物）が、映像情報や文字情報を認識できた位置から、離れているのか、近いのかを判断する。
【００５６】
そして、対象物が離れている場合は、スライドつまみ２１を操作して、投影範囲Ｘが遠方になるようにする。逆に、対象物が近い場合は、スライドつまみ２１を操作して、投影範囲Ｘが近傍になるようにする。その結果、使用者は、対象物と映像情報や文字情報を、同時に認識することができる。
【００５７】
なお、対象物を見ている状態で、映像情報や文字情報を消したい場合もある。この場合は、スライドつまみ２１を操作して、対象物から離れた位置に、投影範囲Ｘを移動させればよい。
【００５８】
本実施例２によれば、距離の異なる所定の観察対象物同士の間の範囲内を、接眼光学系１５の結像位置が往復して変化するように、駆動機構１７’によって接眼光学系１５と表示素子１４との相対間隔を、常時、１０Ｈｚ以上の駆動周波数で相対移動するようにした。そのため、使用者は、観察対象物同士の間の範囲内であれば、どの対象物に注視点を移したとしても、常に、違和感無く映像情報や文字情報がその注視点で結像した状態を認識しながら対象物を観察することができる。その結果、観察する対象物までの距離が変化しても、使用者は視度調整を行わなくても良くなる。また、外界の対象物のみを観察することもできる。
【実施例３】
【００５９】
図８は、実施例３の情報表示装置を示す説明図であって、視度調整ユニット１３を備えた情報表示装置の概略構成図である。
実施例１と同じ構成要素については同じ番号を付し、説明は省略する。実施例３の情報表示装置２２では、駆動機構１７を備えている。この駆動機構１７は、実施例１と同じ移動量で、レンズＬ２とレンズＬ３を移動させる。そして本実施例３では、更に、撮像装置２３と演算装置２４を有する。撮像装置２３は、複数の微小受光部を有し撮像範囲にある対象物を像として撮影する。このような撮像装置２３としては、例えば、ＣＣＤがある。
【００６０】
本実施例３では、撮像装置２３の撮影範囲は、使用者が見ている範囲と略一致している。よって、使用者の正面に観察したい対象物がある場合、撮像装置２３の撮影範囲の中心にも、その対象物の像が位置する。そこで、演算装置２４によって、撮影範囲の中心の像について、撮像装置２３までの距離を算出する。この距離の算出には、公知のフォーカス検出手段を用いればよい。
【００６１】
このような構成とすることによって、対象物から、使用者の眼Ｅまでの距離を算出することができる。そして、この距離情報に基づいて、駆動機構１７を駆動するようにする。すなわち、対象物の位置に、映像情報や文字情報を投影できるように、レンズＬ２とレンズＬ３を、光軸に沿って移動させる。
【００６２】
本実施例３によれば、使用者は、観察する対象物と映像情報や文字情報を、同時に認識することができる。
【００６３】
以上、実施例１乃至実施例３では、いずれも、プリズム１６が、外界に対して直接接している。そのため、破損や汚れの付着の可能性がある。よって、プリズム１６の面１６ｃ側（外界側）に、光透過部材４を設けるのが好ましい。更に、プリズム１６の面１６ａ側（使用者側）にも、光透過部材４を設けるのが好ましい。
【００６４】
また、上記実施例の情報表示装置は、いずれも、両眼視の構成となっている。しかしながら、単眼視の構成としても良い。
【００６５】
なお、上記実施例の情報表示装置では、表示素子と、接眼光学系とを観察者の視線から外れた位置に配置し、プリズムをもつ構成としているが、上記のような配置に限られず、使用者の視線上に、表示素子と、接眼光学系とを配置する情報表示装置の場合でも、本発明の情報表示装置は適用することができる。
【図面の簡単な説明】
【００６６】
【図１】本発明の一実施形態にかかる情報表示装置を示す概略構成図である。
【図２】視度調整ユニットの概略構成図である。
【図３】使用者が注視している対象物の位置と光学系の位置との関係を示す説明図であって、図３（ａ）は対象物が遠方にある場合、（ｂ）は対象物が近傍にある場合である。
【図４】実施例１の情報表示装置を示す図であって、情報表示装置を使用者が装着した状態を、使用者の頭頂部から見たときの図である。
【図５】実施例１の情報表示装置を示す説明図であって、（ａ）は一方の視度調整ユニットを備えた情報表示装置の概略構成図、（ｂ）は視度調整ユニットを備えた情報表示装置の概略配置図である。
【図６】実施例２の情報表示装置を示す説明図であって、一方の視度調整ユニットを備えた情報表示装置の概略構成図である。
【図７】対象物の位置と光学系の位置との関係を示す説明図であって、（ａ）は対象物が遠方にある場合、（ｂ）は対象物が遠方と近傍の間にある場合である。
【図８】実施例３の情報表示装置を示す説明図であって、一方の視度調整ユニットを備えた情報表示装置の概略構成図である。
【図９】特許文献１に開示された画像表示装置を示す概略構成図である。
【符号の説明】
【００６７】
１，１０，１８，２２    情報表示装置
２，１１，１１’        サイドフレーム
３，１２                フロントフレーム
４                      光透過部材
５，１３，１３’        視度調整ユニット
６，１４                表示素子
７，１５                光学系
８，１６                プリズム
８ａ，８ｂ，８ｃ        プリズムの面
１６ａ，１６ｂ，１６ｃ，１６ｄ  プリズムの面
９，１７，１７’，１９    駆動機構
１９ａ                  スライドテーブル
１９ｂ                  リンク機構
１９ｃ                  小型モータ
２０                    制御ユニット
２１                    スライドつまみ
２３                    撮像装置
２４                    演算装置
【図１】
2006153967.tif 000003
【図２】
2006153967.tif 000004
【図３】
2006153967.tif 000005
【図４】
2006153967.tif 000006
【図５】
2006153967.tif 000007
【図６】
2006153967.tif 000008
【図７】
2006153967.tif 000009
【図８】
2006153967.tif 000010
【図９】
2006153967.tif 000011